(57)【要約】【課題】食器洗浄運転の実行中に、洗浄槽の位置を検出する位置検出部の故障が生じたときに、食器洗浄運転の停止が不能になることを防止した食器洗浄機を提供する。【解決手段】運転制御部１１は、スタートスイッチ５１が操作された後、位置センサ４５により洗浄槽２０が筐体４０内の洗浄位置に収納された洗浄槽セット状態が検出されたときに、食器洗浄運転を開始する。運転制御部１１は、食器洗浄運転の実行中に位置センサ４５により洗浄槽セット状態が検出されない状態になったとき、及び食器洗浄運転の実行中にスタートスイッチが操作されたときに、食器洗浄運転を中断する。【選択図】  図３
2016096948.tif 000002
【特許請求の範囲】
【請求項１】
食器が収容される洗浄槽と、
前面に開口を有し、該開口を介して前記洗浄槽が出し入れされる筐体と、
前記洗浄槽が前記筐体内の所定の洗浄位置に収納された洗浄槽セット状態を検出する位置検出部と、
前記洗浄槽が前記筐体内の前記洗浄位置に収納されているときに隠蔽される位置に配置された操作部と、
前記操作部が操作された後で、前記位置検出部により前記洗浄槽セット状態が検出されていることを条件として、前記洗浄槽に収容された食器を洗浄する食器洗浄運転を実行し、該食器洗浄運転の実行中に、前記位置検出部により前記洗浄槽セット状態が検出されない状態になったときには、該食器洗浄運転を停止する運転制御部と
を備えた食器洗浄機において、
前記運転制御部は、前記食器洗浄運転の実行中に前記洗浄槽が前記筐体から引き出され、前記位置検出部の異常によって前記洗浄槽セット状態が誤検出されているために、前記食器洗浄運転を継続している状態で、前記操作部が操作されたときには、前記食器洗浄運転を停止することを特徴とする食器洗浄機。
【請求項２】
請求項１に記載の食器洗浄機において、
前記運転制御部は、前記位置検出部により前記洗浄槽セット状態が検出されない状態で前記操作部が操作された後、前記位置検出部により前記洗浄槽セット状態が検出されたときに、前記食器洗浄運転を開始することを特徴とする食器洗浄機。
【請求項３】
請求項１又は請求項２に記載の食器洗浄機において、
前記操作部は複数の操作スイッチを備え、
前記運転制御部は、前記食器洗浄運転の実行中に前記複数の操作スイッチのうちのいずれかが操作されたときに、前記食器洗浄運転を停止することを特徴とする食器洗浄機。
【発明の詳細な説明】
【技術分野】
【０００１】
本発明は、前面引き出し式の食器洗浄機に関する。
【背景技術】
【０００２】
従来、システムキッチン等に設置される食器洗浄機として、洗浄機本体の前面側（使用者が対面する側）に設けられた開口を介して、食器が収容される洗浄槽を水平方向にスライドさせて出し入れする構成とした、前面引き出し式の食器洗浄機が知られている（例えば、特許文献１参照）。
【０００３】
特許文献１に記載された食器洗浄機においては、システムキッチンとの一体感を向上させると共に、食器洗浄運転中のスイッチの誤操作を防止するために、使用者により操作されるスイッチ（電源スイッチ、設定スイッチ、スタートスイッチ）が、洗浄槽が収容された状態で隠蔽されるドアの上面に設けられている。また、洗浄槽が収納された状態であることを検出する収納検知部（位置検出部）が備えられている。
【０００４】
そして、位置検出部がＯＦＦ（洗浄槽が本体から引き出された状態）であるときに、使用者により電源スイッチが操作され、設定スイッチによって運転コースが選択されて、スタートスイッチが操作された後、位置検出部がＯＮ（洗浄槽が本体内に収納された状態）になったときに、食器洗浄運転を開始する構成になっている。
【０００５】
また、位置検出部がＯＮであるときに、電源スイッチやスタートスイッチが操作されたときには、位置検出部の誤検出が生じている判断して、これらの操作を受け付けずにブザーによる異常報知を行う構成になっている。
【先行技術文献】
【特許文献】
【０００６】
【特許文献１】特開２０１４−１２４２０１号公報
【発明の概要】
【発明が解決しようとする課題】
【０００７】
本願発明者らは、特許文献１に記載された食器洗浄機の構成を採用したときに、使用者にとって不都合な場合があることを知見した。すなわち、食器洗浄運転の実行中に位置検出部のＯＮ故障（洗浄槽が引き出された状態であっても位置検出部がＯＮ状態に維持される故障）が生じると、使用者が食器洗浄運転を中断させるために洗浄槽を引き出しても、位置検出部がＯＦＦにならないため、洗浄槽が引き出された状態で食器洗浄運転が継続される。
【０００８】
そして、この場合には食器洗浄機の外部に洗浄液が飛び散るが、あわてた使用者が電源スイッチやスタートスイッチを操作しても、位置検出部がＯＮ故障状態であるためにこの操作が受け付けられず、食器洗浄運転を停止させることができないという不都合がある。
【０００９】
本発明はかかる不都合を解消し、食器洗浄運転の実行中に洗浄槽の位置を検出する位置検出部の故障が生じたときに、食器洗浄運転の停止が不能となることを防止した食器洗浄機を提供することを目的とする。
【課題を解決するための手段】
【００１０】
本発明は上記目的を達成するためになされたものであり、本発明の食器洗浄機は、
食器が収容される洗浄槽と、
前面に開口を有し、該開口を介して前記洗浄槽が出し入れされる筐体と、
前記洗浄槽が前記筐体内の所定の洗浄位置に収納された洗浄槽セット状態を検出する位置検出部と、
前記洗浄槽が前記筐体内の前記洗浄位置に収納されているときに隠蔽される位置に配置された操作部と、
前記操作部が操作された後で、前記位置検出部により前記洗浄槽セット状態が検出されていることを条件として、前記洗浄槽に収容された食器を洗浄する食器洗浄運転を実行し、該食器洗浄運転の実行中に、前記位置検出部により前記洗浄槽セット状態が検出されない状態になったときには、該食器洗浄運転の実行を停止する運転制御部と
を備えた食器洗浄機において、
前記運転制御部は、前記食器洗浄運転の実行中に前記洗浄槽が前記筐体から引き出され、前記位置検出部の異常によって前記洗浄槽セット状態が誤検出されているために、前記食器洗浄運転を継続している状態で、前記操作部が操作されたときには、前記食器洗浄運転を停止することを特徴とする。
【００１１】
かかる本発明によれば、前記運転制御部は、前記位置検出部により、前記洗浄槽が前記筐体内の前記洗浄位置に収納された前記洗浄槽セット状態が検出されていることを条件として、前記食器洗浄運転を実行する。そして、前記操作部は、前記洗浄槽が前記筐体内の前記洗浄位置に収納されたときに隠蔽される位置に配置されているため、使用者は、前記食器洗浄運転が実行されているときに、前記操作部を操作して前記食器洗浄運転を停止（中断又は終了）させることができない。そこで、前記運転制御部は、前記食器洗浄運転の実行中に、使用者が記洗浄槽を前記筐体から引き出して、前記位置検出部により前記洗浄槽セット状態が検出されない状態になったときに、食器洗浄運転を停止するようにしている。
【００１２】
しかしながら、前記位置検出部の異常が生じて、前記洗浄槽セット状態であるか否かに拘わらず、前記位置検出部が前記洗浄槽セット状態であると誤検出する状態（ＯＮ故障状態）になったときには、前記食器洗浄運転の実行中に使用者が前記洗浄槽を前記筐体から引き出しても、前記食器洗浄運転が停止しない状況になる。
【００１３】
そこで、前記運転制御部は、前記食器洗浄運転の実行中に、前記洗浄槽が前記筐体から引き出されたが、前記位置検出部の異常によって前記洗浄槽セット状態が誤検出されているために、前記食器洗浄運転を継続している状態で、前記操作部が操作されたときには、前記食器洗浄運転を停止する。これにより、前記位置検出部の異常のため、前記洗浄槽を引き出しても前記食器洗浄運転が停止しない状況になったときに、使用者は、前記洗浄槽を引き出したことによって操作が可能になっている前記操作部を操作して、前記食器洗浄運転を停止させることができる。
【００１４】
また、前記運転制御部は、前記位置検出部により前記洗浄槽セット状態が検出されない状態で前記操作部が操作された後、前記位置検出部により前記洗浄槽セット状態が検出されたときに、前記食器洗浄運転を開始することを特徴とする。
【００１５】
この構成によれば、前記運転制御部により、前記位置検出部により前記洗浄槽セット状態が検出されない状態から検出される状態に切り替わり、前記位置検出部が正常に動作していると判断できたときに前記食器洗浄運転が開始される。そのため、前記位置検出部が故障した状態で前記食器洗浄運転が開始されることを防止することができる。
【００１６】
また、前記操作部は複数の操作スイッチを備え、
前記運転制御部は、前記食器洗浄運転の実行中に前記複数の操作スイッチのうちのいずれかが操作されたときに、前記食器洗浄運転を停止することを特徴とする。
【００１７】
この構成によれば、使用者は、前記複数の操作スイッチの中から特定の操作スイッチを選択して操作する必要がないため、前記食器洗浄運転を速やかに停止させることができる。
【図面の簡単な説明】
【００１８】
【図１】本実施形態の食器洗浄機の構成を断面により示した説明図。
【図２】図１に示した食器洗浄機の使用態様の説明図。
【図３】図１に示した食器洗浄機の制御ブロック図。
【図４】図１に示した操作パネルの構成図。
【図５】食器洗浄運転のフローチャート。
【発明を実施するための形態】
【００１９】
本発明の食器洗浄機の実施形態について、図１〜図５を参照して説明する。
【００２０】
図１を参照して、本実施形態の食器洗浄機１は、システムキッチン等の天板（カウンタートップ）ＣＴの下部に備え付けられた前面引き出し式の食器洗浄機であり、筐体４０の開口Ｍを介して洗浄槽２０が水平方向にスライドして出し入れされる。
【００２１】
筐体４０内には、洗浄槽２０に水を供給するための給水管４１、給水管４１を開閉して洗浄槽２０への水の供給と停止を切り替える給水電磁弁４４、洗浄槽２０内の水を排水するための排水管４２、洗浄槽２０が筐体４０の最奥部付近の洗浄位置に収納された洗浄槽セット状態を検出する位置センサ４５（本発明の位置検出部に相当する）、及び洗浄槽２０からの漏水等を検出する電極センサ４６が備えられている。
【００２２】
洗浄槽２０には、Ｗ等の食器を収容した食器かご２１がセットされ、食器に向けて水を噴射する洗浄ノズル２２、洗浄槽２０に貯められた水を加熱するヒータ２３、洗浄槽２０の温度を検出する温度センサ２４、ポンプ２６、及び乾燥ファン２８が備えられている。
【００２３】
ポンプ２６は、正転作動時は洗浄槽２０内の水を洗浄ノズル２２から噴射して循環させ、逆転作動時には洗浄槽２０内の水を残菜フィルタ２５及び排水管４２を介して排出する。乾燥ファン２８は、ヒータ２３を作動させた状態で回転作動することにより、温風を洗浄槽２０内に送出して食器を乾燥させる。乾燥ファン２８により洗浄槽２０内に送出された温風は、洗浄槽２０の前面上方の通気口ｅから排気される。
【００２４】
洗浄槽２０の貯水部と連通管２７により接続された水位検出槽３０には、洗浄槽２０に所定水位の水が貯められていることを検出するフロート式の水位センサ３１が設けられている。
【００２５】
洗浄槽２０の前端の上面には、使用者により操作される操作部５０が配置されている。操作部５０の詳細については後述する。さらに、洗浄槽２０には、食器洗浄機１の全体的な作動を制御するコントローラ１０が備えられ、洗浄槽２０の前面には、洗浄槽２０を出し入れする際に使用者により把持される取手部６０が設けられている。
【００２６】
次に、図２（ａ）に示したように、洗浄槽２０が筐体４０内の洗浄位置に収納された洗浄槽セット状態であるときは、位置センサ４５がＯＮ（検出状態）になる。それに対して、図２（ｂ）に示したように、洗浄槽２０が筐体４０から引き出されているときには、位置センサ４５がＯＦＦ（非検出状態）になる。
【００２７】
また、操作部５０は洗浄槽２０の前部の天面に設けられているため、図２（ａ）に示した洗浄槽２０が筐体４０に収納された状態では、操作部５０がシステムキッチンの天板ＣＴによって隠蔽される。そのため、使用者は操作部５０の操作及び視認をすることができない。
【００２８】
そこで、食器洗浄機１においては、図２（ｂ）に示した洗浄槽２０が筐体４０から引き出された状態で、使用者が、操作部５０を操作して食器洗浄運転の開始を指示した後に、洗浄槽２０を筐体４０に押し込むことにより、食器洗浄運転が開始される仕様となっている。
【００２９】
なお、本実施形態においては、洗浄槽２０に収容された食器の洗浄と乾燥を行う運転（食器洗浄運転）と、洗浄槽２０に収容された食器の乾燥のみを行う運転（食器乾燥運転）と、洗浄槽２０及び食器かご２１の洗浄を行う運転（槽内洗浄運転）とを、食器洗浄運転と総称する。
【００３０】
次に、図３を参照して、コントローラ１０は、図示しないＣＰＵ、メモリ、インターフェース回路等により構成された電子回路ユニットであり、メモリに保持された食器洗浄機１の制御用プログラムをＣＰＵで実行することにより、一連の食器洗浄運転の処理を実行する運転制御部１１と、食器洗浄運転が中断された一時停止状態であることを報知する一時停止報知部１２として機能する。
【００３１】
コントローラ１０には、温度センサ２４、水位センサ３１、位置センサ４５、及び電極センサ４６の各検出信号が入力される。また、コントローラ１０から駆動回路７０を介して出力される制御信号により、ヒータ２３、ポンプ２６、給水電磁弁４４、及び乾燥ファン２８の作動が制御される。
【００３２】
さらに、コントローラ１０には、操作部５０のスイッチ５１，５３，５４の操作信号が入力される。また、コントローラ１０から操作部５０に出力される制御信号により、コースＬＥＤ５３ａ〜５３ｅ及び予約ＬＥＤ５４ａと、ブザー５５の作動が制御される。
【００３３】
操作部５０には、図４に示したように、食器洗浄運転の開始と一時停止を指示するためのスタートスイッチ５１（本発明の操作スイッチに相当する）、食器洗浄運転のコース（運転工程）を選択するためのコース選択部５２、予約運転を指示するための予約スイッチ５４、及び予約運転が設定されていることを示すための予約ＬＥＤ５４ａが設けられている。
【００３４】
コース選択部５２は、食器洗浄運転のコースの切り替えを指示するためのコース選択スイッチ５３と、選択中のコースを示すコースＬＥＤ５３ａ〜５３ｅとを備えている。使用者がコース選択スイッチ５３を操作する度に、選択される食器洗浄運転のコースが、「標準コース」→「標準＋乾燥２時間コース」→「標準＋ソフト排気コース」→「標準＋ソフト排気＋乾燥２時間コース」→「念入りコース」→「念入り＋乾燥２時間コース」→「念入り＋ソフト排気コース」→「念入り＋ソフト排気＋乾燥２時間コース」→「乾燥コース」→「槽内洗浄コース」→「標準コース」→ … と順次切り替えられる。
【００３５】
「槽内洗浄コース」は、洗浄槽２０や食器かご２１に付着した石灰質成分等を除去するために、食器用洗剤とは異なる槽内洗浄剤（例えばクエン酸を主成分とする洗剤）を用いて、洗浄槽２０内を洗浄するコースである。「槽内洗浄コース」以外のコースは、洗浄槽２０に収容された食器を洗浄又は乾燥するコースである。
【００３６】
ここで、「標準コース」は、「洗浄工程」→「水すすぎ工程」→「加熱すすぎ工程」→「乾燥工程」を実行する基本的なコースである。「標準＋乾燥２時間コース」は、「標準コース」において、乾燥工程の時間を２時間に変更したコースである。
【００３７】
「標準＋ソフト排気コース」は、「標準コース」において、乾燥工程で通気口ｅから排気される温風の温度を４０℃に抑えるコースである。「標準＋ソフト排気＋乾燥２時間コース」は、「標準コース」において、乾燥工程の時間を２時間に変更すると共に乾燥工程で通気口ｅから排気される温風の温度を４０℃に抑えるコースである。
【００３８】
また、「念入りコース」、「念入り＋乾燥２時間コース」、「念入り＋ソフト排気コース」、及び「念入り＋ソフト排気＋乾燥２時間コース」は、「標準コース」、「標準＋乾燥２時間コース」、「標準＋ソフト換気コース」、及び「標準＋ソフト換気＋乾燥２時間コース」において、それぞれ加熱すすぎ工程におけるすすぎ水の加熱温度を８０℃に設定するコースである。「乾燥コース」は、乾燥工程のみを実行するコースである。
【００３９】
「槽内洗浄コース」は、洗浄工程において洗浄水を「標準コース」よりも高温に加温すること以外は、「標準コース」と同様である。
【００４０】
コントローラ１０は、選択されているコースに応じて、コースＬＥＤ５３ａ〜５３ｅ（標準ＬＥＤ５３ａ、念入りＬＥＤ５３ｂ、乾燥ＬＥＤ５３ｃ、槽内洗浄５３ｄ、ソフト排気ＬＥＤ５３ｅ）の点灯と消灯を切り替える。
【００４１】
例えば、「標準コース」が選択されているときには、コントローラ１０は標準ＬＥＤ５３ａのみを点灯して他のＬＥＤ５３ｂ〜５３ｅを消灯する。また、「標準＋乾燥２時間コース」が選択されているときは、コントローラ１０は、標準ＬＥＤ５３ａ及び乾燥ＬＥＤ５３ｃを点灯して、他のＬＥＤ５３ｂ，５３ｄ，５３ｅを消灯する。
【００４２】
コントローラ１０は、食器洗浄機１の設置時等に電源接続部（図示しない）が商用電源に接続されて、電源スイッチ（図示しない）がＯＮ状態とされたときに作動を開始する。コントローラ１０は、洗浄槽２０が筐体４０から引き出されて、位置センサ４５がＯＦＦ（洗浄セット状態が検出されない状態）になったときに、食器洗浄運転の初期選択コースである「標準コース」を選択して標準ＬＥＤ５３ａを点灯する。
【００４３】
コントローラ１０は、洗浄槽２０が引き出されて、ＬＥＤ５３ａ〜５３ｅ，５４ａのいずれが点灯しているときに、使用者によりスタートスイッチ５１が長押し操作されたときには、全てのＬＥＤ５３ａ〜５３ｅ，５４ａを消灯する。このように、全てのＬＥＤ５３ａ〜５３ｅ，５４ａが消灯した状態であるときに、使用者がスイッチ５１，５３，５４のいずれか操作すると、コントローラ１０は、操作に応じてＬＥＤ５３ａ〜５３ｅ，５４ａのいずれかを点灯する。
【００４４】
次に、図５に示したフローチャートに従って、運転制御部１１により実行される食器洗浄運転の一連の処理について説明する。
【００４５】
運転制御部１１は、ＳＴＥＰ１で位置センサがＯＦＦである状態（洗浄槽２０が筐体４０から引き出されて、洗浄槽セット状態が検出されない状態）で、続くＳＴＥＰ２でスタートスイッチ５１がＯＮするのを待つ。そして、使用者の操作によってスタートスイッチ５１がＯＮしたときにＳＴＥＰ３に進み、位置センサ４５がＯＮ（洗浄槽２０が筐体４０に押し込まれて、洗浄槽セット状態が検出される状態）に切り替わるのを待つ。
【００４６】
ＳＴＥＰ３で位置センサ４５がＯＮしたときにＳＴＥＰ４に進み、運転制御部１１は食器洗浄運転を開始する。このように、ＳＴＥＰ１，ＳＴＥＰ３により、位置センサ４５がＯＦＦからＯＮに切り替わったことが確認できたときは、位置センサ４５が正常に動作していると判断することができる。そのため、位置センサ４５が故障した状態で、食器洗浄運転が開始されることを防止することができる。
【００４７】
続くＳＴＥＰ５で、運転制御部１１は、食器洗浄運転の運転終了条件（選択されているコースの全工程が終了すること）が成立したか否かを判断する。そして、運転終了条件が成立したときはＳＴＥＰ６に進み、運転制御部１１は、食器洗浄運転を終了する。
【００４８】
一方、ＳＴＥＰ５で運転終了条件が成立していないときにはＳＴＥＰ１０に分岐し、運転制御部１１は、位置センサ４５がＯＦＦしているか否かを判断する。そして、位置センサ４５がＯＦＦしているとき、すなわち、使用者が洗浄槽２０を筐体４０から引き出したときたときはＳＴＥＰ２１に進み、運転制御部１１は、食器洗浄運転を中断して一時停止状態とする。
【００４９】
また、ＳＴＥＰ１０で位置センサ４５がＯＮであるときにはＳＴＥＰ２０に分岐し、運転制御部１１は、スタートスイッチ５１がＯＮしたか否かを判断する。ここで、位置センサ４５が正常に動作していれば、位置センサ４５がＯＮ状態であるときには、洗浄槽２０が筐体４０内に収納されているため、使用者は操作部５０のスタートスイッチ５１を操作することができない。
【００５０】
そのため、ＳＴＥＰ１０で位置センサ４５がＯＮ状態であって、ＳＴＥＰ２０でスタートスイッチ５１が操作されたときには、使用者が洗浄槽２０を筐体４０から引き出して食器洗浄運転を中断させようとしたが、位置センサ４５が故障していてＯＮ状態が維持された状況で、使用者がスタートスイッチ５１を操作したと判断することができる。
【００５１】
そして、この場合には、洗浄槽２０が筐体４０から引き出された状態で食器洗浄運転が継続されており、洗浄槽２０から洗浄水が飛び散るおそれがある。そこで、ＳＴＥＰ２０からＳＴＥＰ２１に進んで、運転制御部１１は、食器洗浄運転を中断して一時停止状態とする。これにより、位置センサ４５の故障により、食器洗浄運転を停止することが不能となることを防止することができる。
【００５２】
一方、ＳＴＥＰ２０でスタートスイッチ５１が操作されなかったときにはＳＴＥＰ２０に戻り、食器洗浄運転が継続される。
【００５３】
一時停止報知部１２は、ＳＴＥＰ２１で食器洗浄運転が中断されたときに、ブザー５５を鳴動させて報知を行う。なお、ＳＴＥＰ１０で位置センサ４５がＯＦＦしたことによりＳＴＥＰ２１で食器洗浄運転が中断された場合（位置センサ４５は正常に動作している）と、ＳＴＥＰ２０でスタートスイッチ５１がＯＮしたことによりＳＴＥＰ２１で食器洗浄運転が中断された場合（位置センサ４５がＯＮ故障している）とで、一時停止報知部１２による報知内容を変えることによって、使用者に位置センサ４５が故障していることを認識させるようにしてもよい。
【００５４】
なお、本実施形態では、図５のＳＴＥＰ２０で、食器洗浄運転の実行中にスタートスイッチ５１が操作されたときには、ＳＴＥＰ２１に進んで食器洗浄運転を中断させるようにしたが、スタートスイッチ５１に限定せず、操作部５０に設けられた複数のスイッチ（スタートスイッチ５１、コース選択スイッチ５３、及び予約スイッチ５４）のいずれかが操作されたときに、食器洗浄運転を中断させるようにしてもよい。この場合、操作部５０に設けられたスイッチは、本発明の操作スイッチに相当する。
【符号の説明】
【００５５】
１…食器洗浄機、１０…コントローラ、１１…運転制御部、１２…一時停止報知部、２０…洗浄槽、４０…筐体、４５…位置センサ（位置検出部）、５０…操作部、５１…スタートスイッチ。
【図１】
2016096948.tif 000003
【図２】
2016096948.tif 000004
【図３】
2016096948.tif 000005
【図４】
2016096948.tif 000006
【図５】
2016096948.tif 000007